(57)【要約】      （修正有）【課題】足場板本体と横架材との間の間隙を被覆するとともに、仮設足場の設置作業を軽減することができる仮設足場板を提供する。【解決手段】２本の支柱２、２間に架設された横架材３と横架材３に２つの接続部材２０、２０を介して係着される平面視長方形状の足場板本体１１との間の間隙部Ｇを被覆する間隙被覆部材４０を有する仮設足場板１０であって、間隙被覆部材４０は、２つの接続部材２０、２０の間に配設され、足場板本体１１の短辺部１２から間隙部Ｇを超えて少なくとも横架材３の上方位置まで延設されている。【選択図】図２
0003230718.tif 000002
【実用新案登録請求の範囲】
【請求項１】
２本の支柱間に架設された横架材と該横架材に２つの接続部材を介して係着される平面視長方形状の足場板本体との間の間隙部を被覆する間隙被覆部材を有する仮設足場板であって、
前記間隙被覆部材は、前記２つの接続部材の間に配設され、前記足場板本体の短辺部から前記間隙部を超えて少なくとも前記横架材の上方位置まで延設されている
ことを特徴とする仮設足場板。
【請求項２】
前記間隙被覆部材の表面が前記足場板本体の前記短辺部の表面と面一である請求項１に記載の仮設足場板。
【請求項３】
前記間隙被覆部材の少なくとも一方の側部側に、前記横架材に係着される他の接続部材を許容する空間部を有する請求項１又は２に記載の仮設足場板。
【請求項４】
前記間隙被覆部材が、前記足場板本体の短辺部の端面と接合される接合部と、前記接合部の端部から垂直方向に折り曲げ変形されて間隙被覆面を形成する間隙被覆部とを有する断面Ｌ字形状の板材からなる請求項１ないし３のいずれか１項に記載の仮設足場板。
【考案の詳細な説明】
【技術分野】
【０００１】
本考案は、２本の支柱間に架設された横架材に係着保持される仮設足場板に関する。
【背景技術】
【０００２】
一般に、建築物等の工事等に際しては、建築物の外周に仮設足場が設置される。この仮設足場は、複数本の支柱が所定間隔で配置され、各支柱間には仮設足場板が架設されて複数階層の足場が形成される。このような仮設足場において、仮設足場板は、長方形状の足場板本体に２つの鉤状の接続部材を有し、並列する２本の支柱間に取り付けられた横架材に２つの接続部材を係着させて架設される（例えば、特許文献１参照）。
【０００３】
この種の仮設足場板では、接続部材が足場板本体の短辺部から突設され、その先端側に係着部が形成されているため、足場板本体と横架材との間に接続部材の突出長さに応じた間隙が形成される。このような間隙は、作業者が仮設足場を通行する際につまずいたり、工具等を誤って落下させたりするおそれがある。そのため、作業現場では板材等を間隙部分に適宜設置して間隙を被覆していたが、仮設足場の設置作業が煩雑となることから、改善が求められている。
【先行技術文献】
【特許文献】
【０００４】
【特許文献１】実用新案登録第３２１２３９１号公報
【考案の概要】
【考案が解決しようとする課題】
【０００５】
本考案は、前記の点に鑑みなされたものであって、足場板本体と横架材との間の間隙を被覆するとともに、仮設足場の設置作業を軽減することができる仮設足場板を提供するものである。
【課題を解決するための手段】
【０００６】
すなわち、請求項１の考案は、２本の支柱間に架設された横架材と該横架材に２つの接続部材を介して係着される平面視長方形状の足場板本体との間の間隙部を被覆する間隙被覆部材を有する仮設足場板であって、前記間隙被覆部材は、前記２つの接続部材の間に配設され、前記足場板本体の短辺部から前記間隙部を超えて少なくとも前記横架材の上方位置まで延設されていることを特徴とする仮設足場板に係る。
【０００７】
請求項２の考案は、前記間隙被覆部材の表面が前記足場板本体の前記短辺部の表面と面一である請求項１に記載の仮設足場板に係る。
【０００８】
請求項３の考案は、前記間隙被覆部材の少なくとも一方の側部側に、前記横架材に係着される他の接続部材を許容する空間部を有する請求項１又は２に記載の仮設足場板に係る。
【０００９】
請求項４の考案は、前記間隙被覆部材が、前記足場板本体の短辺部の端面と接合される接合部と、前記接合部の端部から垂直方向に折り曲げ変形されて間隙被覆面を形成する間隙被覆部とを有する断面Ｌ字形状の板材からなる請求項１ないし３のいずれか１項に記載の仮設足場板に係る。
【考案の効果】
【００１０】
請求項１の考案に係る仮設足場板によると、２本の支柱間に架設された横架材と該横架材に２つの接続部材を介して係着される平面視長方形状の足場板本体との間の間隙部を被覆する間隙被覆部材を有する仮設足場板であって、前記間隙被覆部材は、前記２つの接続部材の間に配設され、前記足場板本体の短辺部から前記間隙部を超えて少なくとも前記横架材の上方位置まで延設されているため、極めて簡易な構成で足場板本体と横架材との間の間隙部を適切に被覆して作業者の通行時のつまずきや工具等の落下等の問題の発生を回避することができるとともに、作業現場で別途間隙部を被覆する作業を省略することができて仮設足場の設置作業が軽減される。
【００１１】
請求項２の考案に係る仮設足場板によると、請求項１の考案において、前記間隙被覆部材の表面が前記足場板本体の前記短辺部の表面と面一であるため、足場板本体と間隙被覆部材との間に不要な段差が形成されず、作業者の歩行の妨げとなるおそれがない。
【００１２】
請求項３の考案に係る仮設足場板によると、請求項１又は２の考案において、前記間隙被覆部材の少なくとも一方の側部側に、前記横架材に係着される他の接続部材を許容する空間部を有するため、間隙被覆部材と他の仮設足場板の接続部材との不要な接触を回避することができて、間隙被覆部材が仮設足場板の設置の妨げとなることがなく、適切に設置することができる。
【００１３】
請求項４の考案に係る仮設足場板によると、請求項１ないし３の考案において、前記間隙被覆部材が、前記足場板本体の短辺部の端面と接合される接合部と、前記接合部の端部から垂直方向に折り曲げ変形されて間隙被覆面を形成する間隙被覆部とを有する断面Ｌ字形状の板材からなるため、容易に製造することができて経済的にも有利である。
【図面の簡単な説明】
【００１４】
【図１】本考案の一実施形態に係る仮設足場板の設置状態を表す斜視図である。
【図２】図１の仮設足場板の上面図である。
【図３】接続部材の横架材への係着工程を表す要部断面図である。
【図４】間隙被覆部材の設置状態の概略図である。
【図５】間隙被覆部材近傍の要部断面図である。
【考案を実施するための形態】
【００１５】
図１，２は、本考案の一実施形態に係る仮設足場板１０が設置された仮設足場１であって、並列する２本の支柱２，２が所定間隔で直列状に配置され、各２本の支柱２，２間に横架材３が架設されて、２つの横架材３，３間に仮設足場板１０が架設される。図１，２において、符号５は支柱２のくさび受け、６は横架材３の両端に設けられて支柱２のくさび受け５に楔着されるくさび部である。なお、この仮設足場１では図示を省略しているが、直列状に配置された支柱２，２間に手摺材や筋交い等が適宜に設置される。
【００１６】
仮設足場板１０は、足場板本体１１と、接続部材２０と、間隙被覆部材４０とを有する。足場板本体１１は、作業者が歩行可能な平面視長方形状の板材からなる。また、足場板本体１１は、板面が格子状（金網状）や平板状等、適宜に構成され、必要に応じて滑り止めのための凹凸面が形成される。
【００１７】
接続部材２０は、足場板本体１１の各短辺部１２，１２にそれぞれ２つずつ突設されて、対応する各横架材３，３に係着されて足場板本体１１を保持する部材である。この接続部材２０は、横架材３に対して着脱可能な構成であれば、形状等は特に限定されない。実施形態の接続部材２０は、図３に示すように、係着本体部２１と、係着本体部２１の後部側に揺動可能に連結された可動係着部３０とを有する。
【００１８】
係着本体部２１は、先端側が横架材３の外周形状に対応して下方に開放された開放部２５を有する側面視略逆Ｕ状（鉤状）の部材からなり、後部側に上側ピン部材２２と下側ピン部材２３とを有する。
【００１９】
可動係着部３０は、横架材３の外周形状に対応した湾曲部３１を有する円弧状の板体からなり、上部側に係着本体部２１の上側ピン部材２２が摺動可能に嵌挿される上側溝部３２と、その下方側に下側ピン部材２３が摺動可能に嵌挿される下側溝部３３とが形成される。上側溝部３２は、上側ピン部材２２と複数個所で係止可能な側面視略倒Ｓ字状の溝部である。下側溝部３３は、上側ピン部材２２と上側溝部３２との係止位置と対応するように下側ピン部材２３と複数個所で警視可能な側面視略倒Ｚ字状の溝部である。
【００２０】
この接続部材２０では、可動係着部３０が上側ピン部材２２及び下側ピン部材２３に対して上側溝部３２及び下側溝部３３の各溝形状に沿って摺動される。具体的に述べると、まず図３（ａ）に示すように、上側ピン部材２２と上側溝部３２及び下側ピン部材２３と下側溝部３３がそれぞれ係止されて、可動係着部３０の先端部３５が係着本体部２１の開放部２５側へ突出されずに完全に開放させるとともに、湾曲部３１の後部３１ａが開放部２５内へ突出される。そして、横架材３の上方から接続部材２０が降下されることにより、開放部２５内へ突出した可動係着部３０の湾曲部３１の後部３１ａが横架材３の上部側に当接される。
【００２１】
横架材３に可動係着部３０の湾曲部３１の後部３１ａが当接されてさらに接続部材２０が降下されると、図３（ｂ）に示すように、可動係着部３０の湾曲部３１の後部３１ａが押し上げられて上側ピン部材２２と上側溝部３２及び下側ピン部材２３と下側溝部３３の係止状態が解除され、各ピン部材２２，２３に対して各溝部材３２，３３が摺動されながら可動係着部３０が回動される。これにより、可動係着部３０の先端部３５が横架材３の下方へ突出されて、横架材３と接続部材２０とが適切に係着される。
【００２２】
このように、接続部材２０では、可動係着部３０と横架材３との接触によって可動係着部３０が自動的に係合位置へ移動される。そのため、作業者は接続部材２０を横架材３に対して上方から降下させて係着させるだけで、極めて容易かつ確実に仮設足場板１０を設置することができる。なお、取り外しの際には、可動係着部３０を後退させて係止させることにより、係着本体部２１の開放部２５の開放を保持することができるため、簡便に取り外し作業を行うことができる。
【００２３】
間隙被覆部材４０は、図１，２に示すように、横架材３と該横架材３に２つの接続部材２０，２０を介して係着される足場板本体１１との間に形成される間隙部Ｇを被覆する部材である。この間隙被覆部材４０は、仮設足場板１０の設置時に間隙部Ｇの被覆が可能であれば、形状等は特に限定されない。実施形態の間隙被覆部材４０は、図４に示すように、足場板本体１１の短辺部１２の端面と接合される接合部４１と、接合部４１の端部から垂直方向に折り曲げ変形されて間隙被覆面４２ａを形成する間隙被覆部４２とを有する断面Ｌ字形状の板材からなる。間隙被覆部材４０の接合部４１と足場板本体１１との接合は、公知の溶接等により行われる。この間隙被覆部材４０は、単一の板材を折り曲げ変形させて容易に製造することができて、経済的にも有利である。
【００２４】
間隙被覆部材４０は、２つの接続部材２０，２０の間に配設され、図２，４に示すように、足場板本体１１の短辺部１２から間隙部Ｇを超えて少なくとも横架材３の上方位置まで延設される。横架材３の上方位置とは、図４の符号Ｕに示すように、横架材３の水平方向の直径に対応した上方の範囲である。間隙被覆部材４０が延設される長さは、横架材３の頂点位置Ｐに到達しないようにすることが好ましい。間隙被覆部材４０が横架材３の頂点位置Ｐを超えて延設された場合、同一の横架材３に架設された他の仮設足場板（１０Ｘ）の間隙被覆部材（４０Ｘ）と衝突して仮設足場板１０を適切に設置できなくなるおそれがある。
【００２５】
また、間隙被覆部材４０は、図４に示すように、表面が足場板本体１１の短辺部１２の表面と面一であることが好ましい。これにより、足場板本体１１と間隙被覆部材４０との間に不要な段差が形成されず、作業者の歩行の妨げとなるおそれがない。
【００２６】
さらに、間隙被覆部材４０は、図２，５に示すように、少なくとも一方の側部４３側に、横架材３に係着される他の接続部材を許容する空間部Ｓを有することが好ましい。空間部Ｓは、接続部材２０に対して間隙被覆部材４０の側部４３を離隔させて形成された隙間に相当する。この空間部Ｓは、側部４３全体を接続部材２０から離隔させたり、側部４３に切欠部４４を形成して側部４３の一部（切欠部４４）を接続部材２０から離隔させたりする等、適宜に形成することができる。
【００２７】
図５（ａ）に示す仮設足場板１０Ａは、一方の接続部材２０ａと間隙被覆部材４０Ａの側部４３との間に他の仮設足場板１０Ｘの接続部材２０ｘを許容するように構成した例である。仮設足場板１０Ａでは、間隙被覆部材４０Ａの一方の側部４３全体を接続部材２０から離隔させて空間部Ｓが形成される。また、他の仮設足場板１０Ｘは、図示のように、一の接続部材２０ｘが一方の接続部材２０ａと間隙被覆部材４０Ａの側部４３との間の横架材３に係着されるとともに、他の接続部材２０ｙが他方の接続部材２０ｂの外側の横架材３に係着されている。そして、他の仮設足場板１０Ｘの一の接続部材２０ｘが係着される位置には空間部Ｓが形成されているため、仮設足場板１０Ａの間隙被覆部材４０Ａと他の仮設足場板１０Ｘの一の接続部材２０ｘとの不要な接触を回避することができる。したがって、間隙被覆部材４０Ａが仮設足場板１０Ａの設置の妨げとなることがなく、適切に設置することができる。
【００２８】
図５（ｂ）に示す仮設足場板１０Ｂは、一方の接続部材２０ａと間隙被覆部材４０Ｂの側部４３との間に他の仮設足場板１０Ｘの接続部材２０ｘを許容するように構成した他の例である。仮設足場板１０Ｂでは、間隙被覆部材４０Ｂが一方の側部４３に切欠部４４を有し、接続部材２０ａと切欠部４４との間に空間部Ｓが形成される。そして、図示のように他の仮設足場板１０Ｘの一の接続部材２０ｘが係着される位置には空間部Ｓが形成されているため、仮設足場板１０Ｂでは、仮設足場板１０Ａと同様に、間隙被覆部材４０Ｂ他の仮設足場板１０Ｘの一の接続部材２０ｘとの不要な接触を回避することができて、間隙被覆部材４０Ｂが仮設足場板１０Ｂの設置の妨げとならず、適切に設置することができる。
【００２９】
図５（ｃ）に示す仮設足場板１０Ｃは、双方の接続部材２０ａ，２０ｂと間隙被覆部材４０Ｃの両側部４３，４３との間に他の仮設足場板１０Ｘの各接続部材２０ｘ，２０ｙを許容するように構成した例である。仮設足場板１０Ｃでは、間隙被覆部材４０Ｃが双方の側部４３，４３にそれぞれ切欠部４４，４４を有し、各接続部材２０ａ，２０ｂと各切欠部４４，４４との間にそれぞれ空間部Ｓ，Ｓが形成される。また、他の仮設足場板１０Ｘは、図示のように、一の接続部材２０ｘが一方の接続部材２０ａと間隙被覆部材４０Ｃの側部４３との間の横架材３に係着されるとともに、他の接続部材２０ｙが他方の接続部材２０ｂと間隙被覆部材４０Ｃの側部４３との間の横架材３に係着されている。そして、他の仮設足場板１０Ｘの各接続部材２０ｘ，２０ｙが係着される位置にはそれぞれ空間部Ｓ，Ｓが形成されているため、仮設足場板１０Ｃの間隙被覆部材４０Ｃと他の仮設足場板１０Ｘの各接続部材２０ｘ，２０ｙとの不要な接触を回避することができて、間隙被覆部材４０Ｃが仮設足場板１０Ｃの設置の妨げとならず、仮設足場板１０Ｃを適切に設置することができる。なお図示しないが、間隙被覆部材の両側部に切欠部をそれぞれ形成する代わりに、両側部全体を各接続部材から離隔させる構成や、一方にの側部に切欠部を形成して他方の側部全体を接続部材から離隔させる構成等によっても、同様の効果を奏することができる。
【００３０】
以上図示し説明したように、本考案の仮設足場板は、横架材と足場板本体との間の間隙部を被覆する間隙被覆部材が、足場板本体の短辺部から間隙部を超えて少なくとも横架材の上方位置まで延設されるように構成されているため、極めて簡易な構成で足場板本体と横架材との間の間隙部を適切に被覆して作業者の通行時のつまずきや工具等の落下等の問題の発生を回避することができる。また、あらかじめ足場板本体に間隙被覆部材が設けられているため、作業現場で別途間隙部を被覆する作業を省略することができて仮設足場の設置作業が軽減される。
【産業上の利用可能性】
【００３１】
以上のとおり、本考案の仮設足場板は、足場板本体と横架材との間の間隙を適切に被覆することが可能な間隙被覆部材があらかじめ足場板本体に設けられているため、従来と比較して仮設足場の設置作業を軽減することができる。そのため、従来の仮設足場板の代替として有望である。
【符号の説明】
【００３２】
１      仮設足場
２      支柱
３      横架材
５      くさび受け
６      くさび部
１０，１０Ａ，１０Ｂ，１０Ｃ，１０Ｘ  仮設足場板
１１    足場板本体
１２    足場板本体の短辺部
２０，２０ａ，２０ｂ，２０ｘ，２０ｙ  接続部材
２１    係着本体部
２２    上側ピン部材
２３    下側ピン部材
２５    開放部
３０    可動係着部
３１    湾曲部
３１ａ  湾曲部の後部
３２    上側溝部
３３    下側溝部
３５    可動係着部の先端部
４０，４０Ａ，４０Ｂ，４０Ｃ，４０Ｘ  間隙被覆部材
４１    接合部
４２    間隙被覆部
４２ａ  間隙被覆面
４３    間隙被覆部材の側部
４４    切欠部
Ｇ      間隙部
Ｐ      横架材の頂点位置
Ｓ      空間部
Ｕ      横架材の上方位置
【図１】
0003230718.tif 000003
【図２】
0003230718.tif 000004
【図３】
0003230718.tif 000005
【図４】
0003230718.tif 000006
【図５】
0003230718.tif 000007